【事件の表示】
　特許第３０１２８２７号「吊り足場組立て工法と吊り足場材」の請求項１、２、５ないし７、１１に係る特許に対する特許異議の申立てについて、次のとおり決定する。
【結　論】
　訂正を認める。
　特許第３０１２８２７号の請求項１、４ないし６、１０に係る特許を取り消す。
【理　由】
［手続の経緯］
　本件特許第３０１２８２７号の特許請求の範囲の請求項１〜１３に係る発明についての出願は、平成２年９月２８日に出願した特願平２−２５８９２２号の一部を平成１０年３月６日に新たな特許出願としたものであって、平成１１年１２月１０日にその特許の設定登録がなされ、その後、その特許について住友金属建材株式会社より特許異議の申立がなされ、当審において取消理由通知がなされたところ、その指定期間内である平成１３年６月２５日に訂正請求がなされたものである。
　　　　　　
　　　　　
［訂正の適否についての判断］
【１】訂正の内容
〔１〕訂正事項Ａ：特許明細書の特許請求の範囲の請求項２を削除する。
　　　　　　
〔２〕訂正事項Ｂ：特許明細書の特許請求の範囲の請求項３を請求項２と訂正し、同請求項２を「【請求項２】請求項１記載の吊り足場組立て工法において、配列方向連結具（４）が足場材（１）から外側に突設され、その配列方向連結具（４）を他方の足場材（１）の配列方向連結受部（２１）に差し込んで両足場材（１）を連結し、この足場材（１）の吊り下げ及び連結を繰返して吊り足場を組立てるようにしたことを特徴とする吊り足場組立て工法。」と訂正する。
　　　　　　
〔３〕訂正事項Ｃ：特許明細書の特許請求の範囲の請求項４を請求項３と訂正し、同請求項３を「【請求項３】請求項２記載の吊り足場組立て工法において、配列方向連結受部（２１）とそれに差し込まれた配列方向連結具（４）とに貫通部材（１５）を差し込んで両者を連結することを特徴とする吊り足場組立て工法。」と訂正する。
　　　　　　
〔４〕訂正事項Ｄ：特許明細書の特許請求の範囲の請求項５を請求項４と訂正し、同請求項４を「【請求項４】請求項１乃至請求項３のいずれかに記載の吊り足場組立て工法において、支持材（Ａ）と交差する向きに吊り下げたパネル状の足場材（１）の横に、それと同じ向きにして他のパネル状の足場材（１）を吊り下げ、横に隣接する両足場材（１）の横連結受部（２３）に横連結具（５）を係止して足場材（１）を横方向にも連結するようにしたことを特徴とする吊り足場組立て工法。」と訂正する。
　　　　　　
〔５〕訂正事項Ｅ：特許明細書の特許請求の範囲の請求項６を請求項５と訂正し、同請求項５を「【請求項５】請求項１乃至請求項４のいずれかに記載の吊り足場組立て工法において、パネル状の足場材（１）の吊り下げ作業、連結作業を先に吊り下げた足場材（１）の上で行ない、このパネル状の足場材（１）の吊り下げと連結を繰返して吊り足場を組立てるようにしたことを特徴とする吊り足場組立て工法。」と訂正する。
　　　　　　
〔６〕訂正事項Ｆ：特許明細書の特許請求の範囲の請求項７を請求項６と訂正する。
　　　　　　
〔７〕訂正事項Ｇ：特許明細書の特許請求の範囲の請求項８を請求項７と訂正し、同請求項７を「【請求項７】請求項６記載の吊り足場材において、踏み板（２）に足場材（１）を索条（Ｂ）で吊り下げるための貫通孔を設けたことを特徴とする吊り足場材。」と訂正する。
　　　　　　
〔８〕訂正事項Ｈ：特許明細書の特許請求の範囲の請求項９を請求項８と訂正し、同請求項８を「【請求項８】請求項６又は請求項７記載の吊り足場材において、配列方向連結具（４）を基材（１ａ）から突設し、基材（１ａ）のうち配列方向連結具（４）と反対側に前記配列方向連結具（４）を差し込み可能な配列方向連結受部（２１）を設けたことを特徴とする吊り足場材。」と訂正する。
　　　　　　
〔９〕訂正事項Ｉ：特許明細書の特許請求の範囲の請求項１０を請求項９と訂正し、同請求項９を「【請求項９】請求項８記載の吊り足場材において、配列方向連結受部（２１）が、基材（１ａ）内に形成された差し込み孔であることを特徴とする吊り足場材。」と訂正する。
　　　　　　
〔１０〕訂正事項Ｊ：特許明細書の特許請求の範囲の請求項１１を請求項１０と訂正し、同請求項１０を「【請求項１０】請求項６乃至請求項９のいずれかに記載の吊り足場材において、基材（１ａ）が方形の枠状であることを特徴とする吊り足場材。」と訂正する。
　　　　　　
〔１１〕訂正事項Ｋ：特許明細書の特許請求の範囲の請求項１２を請求項１１と訂正し、同請求項１１を「【請求項１１】請求項８乃至請求項１０のいずれかに記載の吊り足場材において、配列方向連結受部（２１）とそれに差し込まれた配列方向連結具（４）とに貫通部材（１５）を差し込み可能な穴（１３、１４）を設けたことを特徴とする吊り足場材。」と訂正する。
　　　　　　　
〔１２〕訂正事項Ｌ：特許明細書の特許請求の範囲の請求項１３を請求項１２と訂正し、同請求項１２を「【請求項１２】請求項１１記載の吊り足場材において、配列方向連結具（４）に形成された穴（１３）が当該配列方向連結具（４）の突出方向に横長であることを特徴とする吊り足場材。」と訂正する。
　　　　　　
〔１３〕訂正事項Ｍ：特許明細書の段落【０００６】を削除する。
　　　　　　
〔１４〕訂正事項Ｎ：特許明細書の段落【０００７】を段落【０００６】と訂正し、同段落【０００６】を「【０００６】本発明の第２の吊り足場組立て工法は、第１の吊り足場組立て工法において、配列方向連結具が足場材から外側に突設され、その配列方向連結具を他方の足場材の配列方向連結受部に差し込んで両足場材を連結し、この足場材の吊り下げ及び連結を繰返して吊り足場を組立てる工法である。」と訂正する。
　　　　　　
〔１５〕訂正事項Ｏ：特許明細書の段落【０００８】を段落【０００７】と訂正し、同段落【０００７】を「【０００７】本発明の第３の吊り足場組立て工法は、第２の吊り足場組立て工法において、配列方向連結受部とそれに差し込まれた配列方向連結具とに貫通部材を差し込んで両者を連結する工法である。」と訂正する。
　　　　　　
〔１６〕訂正事項Ｐ：特許明細書の段落【０００９】を段落【０００８】と訂正し、同段落【０００８】を「【０００８】本発明の第４の吊り足場組立て工法は、第１乃至第３の夫々の吊り足場組立て工法において、支持材と交差する向きに吊り下げたパネル状の足場材の横に、それと同じ向きにして他のパネル状の足場材を吊り下げ、横に隣接する両足場材の横連結受部に横連結具を係止して足場材を横方向にも連結するようにしたことを特徴とする吊り足場組立てる工法である。」と訂正する。
　　　　　　
〔１７〕訂正事項Ｑ：特許明細書の段落【００１０】を段落【０００９】と訂正し、同段落【０００９】を「【０００９】本発明の第５の吊り足場組立て工法は、第１乃至第４の夫々の吊り足場組立て工法において、足場材の吊り下げ作業と連結作業を先に吊り下げた足場材の上で行ない、この足場材の吊り下げと連結を繰返して吊り足場を組立てる工法である。」と訂正する。
　　　　　　
〔１８〕訂正事項Ｒ：特許明細書の段落【００１１】を段落【００１０】と訂正し、同段落【００１０】を「【００１０】本発明の第６の吊り足場材は、基材に作業者がのれる広さの網や板等の踏み材を取り付けてパネル状にし、同基材の２箇所以上に支持材から吊り下げるチェーン、ワイヤ等の索条を係止して基材を支持具にそれと交差する向きに吊り下げ可能な係止部を設け、基材に、支持材と交差する向きに吊り下げて並べた足場材同士を連結する配列方向連結具を設け、基材のうち配列方向連結具と反対側に前記配列方向連結具を連結可能な配列方向連結受部を設けたものである。」と訂正する。
　　　　　　
〔１９〕訂正事項Ｓ：特許明細書の段落【００１２】を段落【００１１】と訂正し、同段落【００１１】を「【００１１】本発明の第７の吊り足場材は、第６記載の吊り足場材の踏み板（２）に足場材（１）を索条（Ｂ）で吊り下げるための貫通孔を設けたものである。」と訂正する。
　　　　　　
〔２０〕訂正事項Ｔ：特許明細書の段落【００１３】を段落【００１２】と訂正し、同段落【００１２】を「【００１２】本発明の第８の吊り足場材は、第６又は第７の吊り足場材の配列方向連結具を基材から突設し、基材のうち配列方向連結具と反対側に前記配列方向連結具を差し込み可能な配列方向連結受部を設けたものである。」と訂正する。
　　　　　　
〔２１〕訂正事項Ｕ：特許明細書の段落【００１４】を段落【００１３】と訂正し、同段落【００１３】を「【００１３】本発明の第９の吊り足場材は、第８の吊り足場材において、配列方向連結受部を、基材内に形成された差し込み孔としたものである。」と訂正する。
　　　　　　
〔２２〕訂正事項Ｖ：特許明細書の段落【００１５】を段落【００１４】と訂正し、同段落【００１４】を「【００１４】本発明の第１０の吊り足場材は、第６乃至第９の吊り足場材において、基材を方形の枠状としたものである。」と訂正する。
　　　　　　
〔２３〕訂正事項Ｗ：特許明細書の段落【００１６】を段落【００１５】と訂正し、同段落【００１５】を「【００１５】本発明の第１１の吊り足場材は、第８乃至第１０の吊り足場材において、配列方向連結受部とそれに差し込まれた配列方向連結具とに貫通部材を差し込み可能な穴を設けたものである。」と訂正する。
　　　　　　
〔２４〕訂正事項Ｘ：特許明細書の段落【００１７】を段落【００１６】と訂正し、同段落【００１６】を「【００１６】本発明の第１２の吊り足場材は、第１１の吊り足場材において、配列方向連結具に形成された穴を当該配列方向連結具の突出方向に横長としたものである。」と訂正する。
　　　　　　
〔２５〕訂正事項Ｙ：特許明細書の段落【００１８】を段落【００１７】と訂正し、以下同様に、段落【００１９】〜【００２９】を段落【００１８】〜【００２８】とそれぞれ訂正する。
　　　　　　
〔２６〕訂正事項Ｚ：特許明細書の段落【００３０】を段落【００２９】と訂正し、同段落【００２９】を「【００２９】【発明の効果】本発明の第１の吊り足場組立て工法は次のような効果がある。・・・（中略）・・・容易になる。」と訂正する。
　　　　　　
〔２７〕訂正事項ａ：特許明細書の段落【００３１】を段落【００３０】と訂正し、同段落【００３０】を「【００３０】本発明の第２の吊り足場組立て工法は、足場材から外側に突設された配列方向連結具を他方の足場材の配列方向連結受部に差し込んで両足場材を連結するので、足場材の連結が容易且つ確実になる。」と訂正する。
　　　　　　
〔２８〕訂正事項ｂ：特許明細書の段落【００３２】を段落【００３１】と訂正し、同段落【００３１】を「【００３１】本発明の第３の吊り足場組立て工法は、配列方向連結受部とそれに差し込まれた配列方向連結具とに貫通部材を差し込んで両者を連結するので、連結が確実になる。」と訂正する。
　　　　　　
〔２９〕訂正事項ｃ：特許明細書の段落【００３３】を段落【００３２】と訂正し、同段落【００３２】を「【００３２】本発明の第４の吊り足場組立て工法は、横に隣接する両足場材の横連結受部に横連結具を係止して足場材を横方向にも連結するので、吊り足場を配列方向だけでなく、横方向にも容易に組立てることができる。」と訂正する。
　　　　　　
〔３０〕訂正事項ｄ：特許明細書の段落【００３４】を段落【００３３】と訂正し、同段落【００３３】を「【００３３】本発明の第５の吊り足場組立て工法は、足場材の吊り下げ作業と連結作業を先に吊り下げた足場材の上で行なうので安全で、作業し易く、作業性も向上する。」と訂正する。
　　　　　　
〔３１〕訂正事項ｅ：特許明細書の段落【００３５】を段落【００３４】と訂正し、同段落【００３４】を「【００３４】本発明の第６の吊り足場材はパネル状であるため、その上に作業者がのって次の吊り足場材を吊り下げたり、後から吊り下げた吊り足場材を先に吊り下げた吊り足場材に連結したりすることができ、しかも、・・・（中略）・・・踏み材が基材に固定されているので、従来のように足場板を横材に番線で固定する必要がなく、足場の組立て作業が容易になる。」と訂正する。
　　　　　　
〔３２〕訂正事項ｆ：特許明細書の段落【００３６】を段落【００３５】と訂正し、同段落【００３５】を「【００３５】本発明の第７の吊り足場材は、基材に横連結具を係止可能な横連結受部を設けたので、横方向への連結も容易になり、吊り足場の横幅の調節も容易になる。」と訂正する。
　　　　　　
〔３３〕訂正事項ｇ：特許明細書の段落【００３７】を段落【００３６】と訂正し、同段落【００３６】を「【００３６】本発明の第８の吊り足場材は、配列方向連結具を基材から突設したので、それを配列方向連結受部に差し込むだけで足場材の横方向への連結が可能になる、連結が容易にもなる。」と訂正する。
　　　　　　
〔３４〕訂正事項ｈ：特許明細書の段落【００３８】を段落【００３７】と訂正し、同段落【００３７】を「【００３７】本発明の第９の吊り足場材は、配列方向連結受部が基材内に形成された差し込み孔であるため、配列方向連結受部の形成が容易になる。」と訂正する。
　　　　　　
〔３５〕訂正事項ｉ：特許明細書の段落【００３９】を段落【００３８】と訂正し、同段落【００３８】を「【００３８】本発明の第１０の吊り足場材は、基材１ａが方形の枠状であるため、形状が安定する。」と訂正する。
　　　　　　
〔３６〕訂正事項ｊ：特許明細書の段落【００４０】を段落【００３９】と訂正する。
　　　　　　
　　　　　　
【２】訂正の目的の適否、新規事項の有無および拡張・変更の存否
〔１〕訂正事項Ａについて
　この訂正は、訂正前の特許請求の範囲の請求項２を削除するものであり、特許請求の範囲の減縮を目的とするものであって、新規事項の追加に該当せず、実質上特許請求の範囲を拡張し又は変更するものではない。
　　　　　　
〔２〕訂正事項Ｂ〜Ｌについて
　これらの訂正は、特許請求の範囲の請求項２の削除に係る上記訂正事項Ａに伴う訂正であって、訂正前の特許請求の範囲の請求項３〜１３の請求項の項番号を順次繰り上げて請求項２〜１２とすると共に、同請求項のうち請求項２〜５、７〜１２において引用する請求項の項番号を上記繰り上げた各請求項の項番号にしたがってそれぞれ変更するものであり、特許請求の範囲の減縮を目的とするものであって、新規事項の追加に該当せず、実質上特許請求の範囲を拡張し又は変更するものではない。
　　　　　
〔３〕訂正事項Ｍ〜Ｚ，ａ〜ｊについて
　これらの訂正は、特許請求の範囲の訂正に係る上記訂正事項Ａ〜Ｌの訂正に伴い、それとの整合を図るために特許明細書の発明の詳細な説明の記載を訂正するものであり、明りょうでない記載の釈明を目的とするものであって、新規事項の追加に該当せず、実質上特許請求の範囲を拡張し又は変更するものではない。
　　　　　　
　　　　　　
【３】訂正の適否についてのまとめ
　以上のとおりであるから、特許明細書に対する本訂正は、特許法等の一部を改正する法律（平成６年法律第１１６号、以下「平成６年改正法」という）附則第６条第１項の規定によりなお従前の例によるとされる、特許法第１２０条の４第３項において準用する平成６年改正法による改正前の特許法第１２６条第１項ただし書、第２項及び第３項の規定に適合するので、当該訂正を認める。
　　　　　　　
　　　　　　　
［特許異議の申立について］
【１】本件請求項に係る発明
　以上のとおり、特許明細書に対する本訂正が認められるから、特許異議の申立てをされた訂正前の特許請求の範囲の請求項１，２（削除），５〜７，１１に係る発明に対応する、訂正後の特許請求の範囲の請求項１，４〜６，１０に係る発明（以下それぞれ「本件訂正発明１，４〜６，１０」という）は、訂正明細書及び図面の記載からみて、その特許請求の範囲の請求項１，４〜６，１０に記載された次のとおりのものである。
　「【請求項１】ワイヤ、チェーン等の索条（Ｂ）を支持材（Ａ）から吊り下げ、その吊り下げた索条（Ｂ）に、基材（１ａ）に作業者がのれる広さの踏み材（２）を取り付けたパネル状の足場材（１）を係止して、同足場材（１）を支持材（Ａ）にそれと交差する向きに吊り下げ、この足場材（１）の先方或は後方に他の足場材（１）を前記足場材（１）と同様の向きに吊り下げ、両足場材（１）のうち一方の足場材（１）の配列方向連結具（４）と他方の足場材（１）の配列方向連結受部（２１）とを連結して両足場材（１）を並べて連結し、この足場材（１）の吊り下げ及び連結を繰返して吊り足場を組立てるようにしたことを特徴とする吊り足場組立て工法。
　【請求項４】請求項１乃至請求項３のいずれかに記載の吊り足場組立て工法において、支持材（Ａ）と交差する向きに吊り下げたパネル状の足場材（１）の横に、それと同じ向きにして他のパネル状の足場材（１）を吊り下げ、横に隣接する両足場材（１）の横連結受部（２３）に横連結具（５）を係止して足場材（１）を横方向にも連結するようにしたことを特徴とする吊り足場組立て工法。
　【請求項５】請求項１乃至請求項４のいずれかに記載の吊り足場組立て工法において、パネル状の足場材（１）の吊り下げ作業、連結作業を先に吊り下げた足場材（１）の上で行ない、このパネル状の足場材（１）の吊り下げと連結を繰返して吊り足場を組立てるようにしたことを特徴とする吊り足場組立て工法。
　【請求項６】基材（１ａ）に作業者がのれる広さの網や板等の踏み材（２）を取り付けてパネル状にし、同基材（１ａ）の２箇所以上に支持材Ａから吊り下げるチェーン、ワイヤ等の索条（Ｂ）を係止して基材（１ａ）を支持具（Ａ）にそれと交差する向きに吊り下げ可能な係止部（３）を設け、基材（１ａ）に、支持材（Ａ）と交差する向きに吊り下げて並べた足場材（１）同士を連結する配列方向連結具（４）を設け、基材（１ａ）のうち配列方向連結具（４）と反対側に前記配列方向連結具（４）を連結可能な配列方向連結受部（２１）を設けたことを特徴とする吊り足場材。
　【請求項１０】請求項６乃至請求項９のいずれかに記載の吊り足場材において、基材（１ａ）が方形の枠状であることを特徴とする吊り足場材。」
　　　　　
　　　　　
【２】引用刊行物
　刊行物１：特公平７−１０３６７９号公報
　　　（異議申立書の甲第１号証、本件特許出願の分割の元となった
　　　　原出願である特願平２−２５８９２２号の公告公報）
　刊行物２：特公平７−１０３６７９号公報の
　　　　　　特許法第６４条の規定による補正公報
　　　（異議申立書の甲第２号証、平成１１年６月１４日発行）
　刊行物３：特開平４−１４０３６３号公報
　　　（異議申立書の甲第３号証、上記原出願の出願当初の明細書及び
　　　　図面としての公開公報）
　　　　　
　　　　　
【３】本件特許出願が原出願（刊行物１〜３参照）から適法に分割されたか否かについての検討
〔１〕本件訂正発明５について
（１）本件訂正発明５は本件訂正発明１〜４のいずれかを引用するものであり、本件訂正発明１〜４のいずれかの吊り足場組立て工法において、「パネル状の足場材（１）の吊り下げ作業、連結作業を先に吊り下げた足場材（１）の上で行ない」との限定を付したものである。
（２）ところで、本件特許出願の分割の元となった原出願である特願平２−２５８９２２号の特許査定時の請求項１，２に係る発明（以下それぞれ「原出願の発明１，２」という、刊行物２参照）は、以下のとおりである。
　「１　支持材Ａから吊下げたワイヤ、チェーン等の索条Ｂを、作業者がのれる広さの踏み材２が取り付けられている足場材１の係止部３に係止して同足場材１を支持材Ａと交差する向きに吊下げ、この足場材１の先方或は後方に他の足場材１を前記足場材１と同様の向きに吊り下げて並べ、並べた足場材１のうち一方の足場材１の配列方向連結具４と他方の足場材１の配列方向連結受部２１を連結して両足場材１を連結し、前記吊下げ作業、連結作業を先に吊り下げた足場材１又は先に吊り下げて連結した足場材１の上で行い、この足場材１の吊り下げ及び連結を繰返して吊り足場を組立てるようにしたことを特徴とする吊り足場組立て工法。
　　２　請求項１記載の吊り足場組立て工法において、支持材Ａと交差する向きに吊下げた足場材１の横に、それと同じ向きにして他の足場材１を吊り下げ、横に隣接する両足場材１の横連結受部２３に横連結具５を係止して足場材１を横方向にも連結し、前記吊下げ作業、連結作業を先に吊り下げた足場材１又は先に吊り下げて連結した足場材１の上で行なうようにしたことを特徴とする吊り足場組立て工法。」
（３）そこで、本件訂正発明１を引用する本件訂正発明５と原出願の発明１とを対比すると、原出願の発明１の「支持材Ａ」，「索条Ｂ」，「作業者がのれる広さの踏み材２」，「配列方向連結具４」，「配列方向連結受部２１」が、本件訂正発明５（本件訂正発明１）の「支持材（Ａ）」，「索条（Ｂ）」，「作業者がのれる広さの踏み材（２）」，「配列方向連結具（４）」，「配列方向連結受部（２１）」にそれぞれ相当し、また、原出願の発明１の「前記吊下げ作業、連結作業を先に吊り下げた足場材１又は先に吊り下げて連結した足場材１の上で行い」が、本件訂正発明５の「足場材（１）の吊り下げ作業、連結作業を先に吊り下げた足場材（１）の上で行ない」に相当し、そして、原出願の発明１の「足場材１」については、特許請求の範囲の記載からは、「作業者がのれる広さの踏み材２」がどのような部材に取り付けられて当該「足場材１」が形成されるのか定かでなく、また、「パネル状の」ものであるのか否かも定かでないが、当該「足場材１」には、「踏み材２」以外にも「係止部３」，「配列方向連結具４」，「配列方向連結受部２１」等が付属していることからみて、それの一部分が上記各部となり或いは上記各部を形成するための部材を別途設置することができ且つ「踏み材２」を取り付けることができるような何らかの基本構造物、即ち、原出願の発明の実施例に記載されているような「基材１ａ」が必須のものと認められ（尚、原出願の特許査定時の請求項３に係る発明は当該「基材１ａ」について言及している）、このような構造の「足場材１」が「パネル状の」ものであることは明かである（訂正明細書の段落【００１７】には、基材に踏み材を取り付けたものがパネル状である旨記載されている）から、原出願の発明１の「作業者がのれる広さの踏み材２が取り付けられている足場材１」と本件訂正発明５（本件訂正発明１）の「基材（１ａ）に作業者がのれる広さの踏み材（２）を取り付けたパネル状の足場材（１）」との間に実質的な差異はないものであるから、本件訂正発明１を引用する本件訂正発明５と原出願の発明１とは、構成上、全ての点で一致している。
（４）また、本件訂正発明４（本件訂正発明１を引用）を引用する本件訂正発明５と原出願の発明１を引用する原出願の発明２とを対比すると、原出願の発明２の「支持材Ａと交差する向きに吊下げた足場材１の横に、それと同じ向きにして他の足場材１を吊り下げ、横に隣接する両足場材１の横連結受部２３に横連結具５を係止して足場材１を横方向にも連結し」との構成において、その「横連結受部２３」，「横連結具５」が、本件訂正発明５（本件訂正発明４）の「横連結受部（２３）」，「横連結具（５）」にそれぞれ相当するから、上記（３）での検討事項を踏まえて考えると、原出願の発明２に開示された上記構成は、本件訂正発明５（本件訂正発明４）の「支持材（Ａ）と交差する向きに吊り下げたパネル状の足場材（１）の横に、それと同じ向きにして他のパネル状の足場材（１）を吊り下げ、横に隣接する両足場材（１）の横連結受部（２３）に横連結具（５）を係止して足場材（１）を横方向にも連結する」の構成と一致するから、本件訂正発明４（本件訂正発明１を引用）を引用する本件訂正発明５と原出願の発明１を引用する原出願の発明２とは、構成上、全ての点で一致している。
（５）したがって、本件訂正発明１を引用する本件訂正発明５と原出願の発明１とは同一であり、また、本件訂正発明４（本件訂正発明１を引用）を引用する本件訂正発明５と原出願の発明１を引用する原出願の発明２とは同一である。
（６）尚、特許権者は、原出願の発明１，２は、「足場材を吊り下げて『並べ』るか、或は『並べた』足場材を連結するものである。即ち、足場材を吊り下げ時に並べるもの」であるが、「本件発明１を引用する本件発明６は、多数枚の足場材を吊り下げるだけであり、吊り下げたときに並べる必要はなく、吊り下げ後の連結時に作業者が連結しながら並べる方法」（尚、「本件発明１，６」はそれぞれ「本件訂正発明１，５」である）であるから、両者には大きな相違がある旨主張しているが、本件特許明細書（訂正明細書）中において、「並べる」ことがどのような状態の技術事項を意味するのか定かでないが、本件訂正発明５（本件訂正発明１）は、支持材に対する索条の固定位置の後調整や索条の長さ調整等について格別規定するものではなく、吊り下げられた足場材は「並べて連結」されるのであるから、既に索条に係止して吊り下げてある足場材の先方或は後方に他の足場材を、既に吊り下げてある索条に係止して吊り下げた際には、両足場材は並んだ状態となるものと推認されるものであり、また、索条について、何らかの固定位置の調整や長さ調整を行うものであるとしても、足場材同士を連結する際には、必然的に足場材同士が並んだ状態となり、即ち、並べなければ連結することができないものであり、また逆に、原出願の発明１，２も、足場材を連結した後には足場材同士が並んだ状態となり、さらに、本件特許明細書（訂正明細書）中には、特許請求の範囲に「並べて連結し」との記載（請求項１）と、先に吊り下げた足場材の先方に足場材を「吊り下げて並べ」た後に「二つの吊り足場材をその配列方向（前後方向）に連結する」旨の組立て順序の記載（訂正明細書、段落【００２８】）があるから、特許権者の上記主張には直ちに首肯することはできない。
　　　　　　
〔２〕適法に分割されたか否かについてのまとめ
　以上のとおりであり、本件特許出願である分割出願に係る発明と、本件特許出願の分割の元となった原出願に係る発明とが同一となるから、本件特許出願は不適法な分割出願ということになり、出願日の遡及は認められず、その出願日は現実の出願日である平成１０年３月６日となる。
　　　　　　
　　　　　　
【４】刊行物１〔特公平７−１０３６７９号公報〕（異議申立書の甲第１号証）記載の発明
　本件特許出願の現実の出願日（平成１０年３月６日）前に公知である原出願の公告公報である刊行物１には、吊り足場組立て工法とそれに使用される足場材に関して、以下の技術事項が記載されている。
（ア）「【請求項１】支持材Ａから吊下げたワイヤ、チェーン等の索条Ｂを、作業者がのれる広さの踏み材２が取り付けられている足場材１に係止して同足場材１を支持材Ａと交差する向きに吊下げ、この足場材１の先方或は後方に他の足場材１を前記足場材１と同様の向きに吊り下げて並べ、並べた足場材１のうち一方の足場材１の配列方向連結具４と他方の足場材１の配列方向連結受部２１を連結して両足場材１を連結し、この足場材１の吊り下げ及び連結を繰返して吊り足場を組立てるようにしたことを特徴とする吊り足場組立て工法。【請求項２】請求項１記載の吊り足場組立て工法において、支持材Ａと交差する向きに吊下げた足場材１の横に、それと同じ向きにして他の足場材１を吊り下げ、横に隣接する両足場材１の横連結受部２に横連結具５を係止して足場材１を横方向にも連結するようにしたことを特徴とする吊り足場組立て工法。【請求項３】基材１ａに作業者がのれる広さの網や板等の踏み材２を取り付け、同基材１ａの２箇所以上に支持材Ａから吊下げるチェーン、ワイヤ等の索条Ｂを係止して基材１ａを支持具Ａにそれと交差する向きに吊り下げ可能な係止部３を設け、基材１ａに、支持材Ａと交差する向きに吊下げて並べた足場材１同士を連結する配列方向連結具４を設け、基材１ａのうち配列方向連結具４と反対側に配列方向連結受部２１を設け、同基材１ａの横方向端部側に、支持材Ａと交差する向きに吊り下げられた足場材１とその横にそれと同じ向きに吊り下げられた他の足場材１とを連結する横連結具５を係止可能な横連結受部２３を設けてなることを特徴とする足場材。」（特許請求の範囲）
（イ）「また、踏み材２の上に作業者がのって安定した状態で吊り下げ作業や組立て作業を行うことができる。」（３頁５欄２８〜３０行）
（ウ）「第６図〜第８図は同工法に使用される足場材１の一例である。これらの図に示す１ａは基材である。この基材１ａは２本の金属製の角パイプ１０が対向して配置され、その両端部に金属製の短い丸パイプ１１を貫通させて両角パイプ１０を連結して、作業者がのれる広さの細長角型に形成されている。また前記角パイプ１０間は適宜間隔毎にアルミニウム製の軽量連結鋼材１２により支持固定されている。第１図〜第８図に示す３は係止部であり、これは橋梁の桁材等の支持材Ａから吊下げられたチェーン、ワイヤー等の索条Ｂを係止するためのものであり、前記基材１ａの長手方向両端部に設けられている。」（３頁５欄３７〜４９行）
（エ）「人がのれる広さの足場材１を幅方向に連結固定して安定した吊り足場を作り、その上に作業者Ｍがのって順次別の足場材１を連結固定するため、従来のように細く不安定な縦材（単管）Ｅや横材（単管）Ｆの上に作業者Ｍがのる必要がなく、作業者Ｍが落下する危険性も少なく、作業の安全性が著しく向上する。」（４頁８欄１５〜２０行）
（オ）「人がのれる広さの足場材１を幅方向に連結固定して吊り足場を作り、その上に作業者Ｍがのって順次別の足場材１を連結固定するものであるため、従来のようにクレーン等を移動させる必要がなく、高速道路の橋梁工事等でその下の道路を閉鎖する必要もなく、交通の妨げになることもない。また、クレーンを使用できない箇所でも、安全に且つ短期間に吊り足場を作ることができる。」（４頁８欄２１〜２７行）
　これら（ア）〜（オ）の記載を含む刊行物１全体の記載及び足場に係る当業者の技術常識によれば、刊行物１には以下の発明が記載されているものと認められる。
《刊行物１記載の発明１》（本件訂正発明１に対応）
　「ワイヤ、チェーン等の索条Ｂを支持材Ａから吊り下げ、その吊り下げた索条Ｂに、２本の金属製の角パイプ１０をその両端部において金属製の短い丸パイプ１１で連結しさらに適宜間隔毎に軽量連結鋼材１２により支持固定して作業者がのれる広さの細長角型に形成してなる基材１ａに作業者がのれる広さの踏み材２を取り付けた足場材１を係止して、同足場材１を支持材Ａにそれと交差する向きに吊り下げ、この足場材１の先方或は後方に他の足場材１を前記足場材１と同様の向きに吊り下げ、両足場材１のうち一方の足場材１の配列方向連結具４と他方の足場材１の配列方向連結受部２１とを連結して両足場材１を並べて連結し、この足場材１の吊り下げ及び連結を繰返して吊り足場を組立てるようにした吊り足場組立て工法。」
《刊行物１記載の発明２》（本件訂正発明６に対応）
　「２本の金属製の角パイプ１０をその両端部において金属製の短い丸パイプ１１で連結しさらに適宜間隔毎に軽量連結鋼材１２により支持固定して作業者がのれる広さの細長角型に形成してなる基材１ａに作業者がのれる広さの網や板等の踏み材２を取り付け、同基材１ａの２箇所以上に支持材Ａから吊り下げるチェーン、ワイヤ等の索条Ｂを係止して基材１ａを支持材Ａにそれと交差する向きに吊り下げ可能な係止部３を設け、基材１ａに、支持材Ａと交差する向きに吊り下げて並べた足場材１同士を連結する配列方向連結具４を設け、基材１ａのうち配列方向連結具４と反対側に前記配列方向連結具４を連結可能な配列方向連結受部２１を設けた吊り足場材１。」
《刊行物１記載の発明３》（本件訂正発明４に対応）
　「支持材Ａと交差する向きに吊り下げた足場材１の横に、それと同じ向きにして他の足場材１を吊り下げ、横に隣接する両足場材１の横連結受部２３に横連結具５を係止して足場材１を横方向にも連結するようにした吊り足場組立て工法。」
《刊行物１記載の発明４》（本件訂正発明５に対応）
　「足場材１の吊り下げ作業、連結作業を先に吊り下げた足場材１の上で行ない、この足場材１の吊り下げと連結を繰返して吊り足場を組立てるようにした吊り足場組立て工法。」
《刊行物１記載の発明５》（本件訂正発明１０に対応）
　「基材１ａが２本の金属製の角パイプ１０をその両端部において金属製の短い丸パイプ１１で連結しさらに適宜間隔毎に軽量連結鋼材１２により支持固定して作業者がのれる広さの細長角型に形成してなる吊り足場材１。」
　　　　　　
　　　　　　
【５】本件訂正発明１，４〜６，１０と刊行物１記載の発明との対比・判断
〔１〕本件訂正発明１について
　本件訂正発明１と刊行物１記載の発明１とを対比すると、刊行物１記載の発明１の「索条Ｂ」，「支持材Ａ」，「配列方向連結具４」，「配列方向連結受部２１」が、本件訂正発明１の「索条（Ｂ）」，「支持材（Ａ）」，「配列方向連結具（４）」，「配列方向連結受部（２１）」にそれぞれ相当し、また、刊行物１記載の発明１の「２本の金属製の角パイプ１０をその両端部において金属製の短い丸パイプ１１で連結しさらに適宜間隔毎に軽量連結鋼材１２により支持固定して作業者がのれる広さの細長角型に形成してなる基材１ａに作業者がのれる広さの踏み材２を取り付けた足場材１」が、本件訂正発明１の「基材（１ａ）に作業者がのれる広さの踏み材（２）を取り付けたパネル状の足場材（１）」に相当することは明かであるから、両者は一致する。
　　　　　　
〔２〕本件訂正発明４について
　本件訂正発明１を引用する本件訂正発明４と刊行物１記載の発明１を引用する刊行物１記載の発明３とを対比すると、刊行物１記載の発明３の「横連結受部２３」，「横連結具５」が、本件訂正発明４の「横連結受部（２３）」，「横連結具（５）」にそれぞれ相当し、その他の各部材の対応関係は上記〔１〕「本件訂正発明１について」の項で検討したとおりであるから、両者は一致する。
　　　　　　
〔３〕本件訂正発明５について
　本件訂正発明１を引用する本件訂正発明５又は本件訂正発明４（本件訂正発明１を引用）を引用する本件訂正発明５と刊行物１記載の発明１を引用する刊行物１記載の発明４とを対比すると、各部材の対応関係は上記〔１〕「本件訂正発明１について」及び〔２〕「本件訂正発明４について」の項で検討したとおりであるから、両者は一致する。
　　　　　　
〔４〕本件訂正発明６について
　本件訂正発明６と刊行物１記載の発明２とを対比すると、刊行物１記載の発明２の「係止部３」，「２本の金属製の角パイプ１０をその両端部において金属製の短い丸パイプ１１で連結しさらに適宜間隔毎に軽量連結鋼材１２により支持固定して作業者がのれる広さの細長角型に形成してなる基材１ａに作業者がのれる広さの網や板等の踏み材２を取り付け」が、本件訂正発明６の「係止部（３）」，「基材（１ａ）に作業者がのれる広さの網や板等の踏み材（２）を取り付けてパネル状にし」にそれぞれ相当し、その他の各部材の対応関係は上記〔１〕「本件訂正発明１について」の項で検討したとおりであるから、両者は一致する。
　　　　　　
〔５〕本件訂正発明１０について
　本件訂正発明６を引用する本件訂正発明１０と刊行物１記載の発明２を引用する刊行物１記載の発明５とを対比すると、刊行物１記載の発明５の「基材１ａが２本の金属製の角パイプ１０をその両端部において金属製の短い丸パイプ１１で連結しさらに適宜間隔毎に軽量連結鋼材１２により支持固定して作業者がのれる広さの細長角型に形成してなる」が、本件訂正発明１０の「基材（１ａ）が方形の枠状である」に相当し、その他の各部材の対応関係は上記〔４〕「本件訂正発明６について」の項で検討したとおりであるするから、両者は一致する。
　　　　　　
　　　　　　
【６】特許異議の申立についてのまとめ
　結局、本件訂正発明１，４〜６，１０は、刊行物１記載の発明であるから、特許法第２９条第１項第３号に規定する発明に該当する。
　　　　　　
　　　　　　
［むすび］
　以上のとおりであるから、本件発明１，４〜６，１０は、それぞれ特許を受けることができない発明である。
　したがって、本件発明１，４〜６，１０についての特許は、特許法第１１３条第２号に該当し、取り消されるべきものである。
　よって、結論のとおり決定する。
【異議決定日】
平成１４年３月２９日（２００２．３．２９）
【訂正の要旨】
訂正の要旨
〔１〕訂正事項Ａ：特許請求の範囲の減縮を目的として、特許明細書の特許請求の範囲の請求項２を削除する。
〔２〕訂正事項Ｂ：特許請求の範囲の減縮を目的として、特許明細書の特許請求の範囲の請求項３を請求項２と訂正し、同請求項２を「【請求項２】請求項１記載の吊り足場組立て工法において、配列方向連結具（４）が足場材（１）から外側に突設され、その配列方向連結具（４）を他方の足場材（１）の配列方向連結受部（２１）に差し込んで両足場材（１）を連結し、この足場材（１）の吊り下げ及び連結を繰返して吊り足場を組立てるようにしたことを特徴とする吊り足場組立て工法。」と訂正する。
〔３〕訂正事項Ｃ：特許請求の範囲の減縮を目的として、特許明細書の特許請求の範囲の請求項４を請求項３と訂正し、同請求項３を「【請求項３】請求項２記載の吊り足場組立て工法において、配列方向連結受部（２１）とそれに差し込まれた配列方向連結具（４）とに貫通部材（１５）を差し込んで両者を連結することを特徴とする吊り足場組立て工法。」と訂正する。
〔４〕訂正事項Ｄ：特許請求の範囲の減縮を目的として、特許明細書の特許請求の範囲の請求項５を請求項４と訂正し、同請求項４を「【請求項４】請求項１乃至請求項３のいずれかに記載の吊り足場組立て工法において、支持材（Ａ）と交差する向きに吊り下げたパネル状の足場材（１）の横に、それと同じ向きにして他のパネル状の足場材（１）を吊り下げ、横に隣接する両足場材（１）の横連結受部（２３）に横連結具（５）を係止して足場材（１）を横方向にも連結するようにしたことを特徴とする吊り足場組立て工法。」と訂正する。
〔５〕訂正事項Ｅ：特許請求の範囲の減縮を目的として、特許明細書の特許請求の範囲の請求項６を請求項５と訂正し、同請求項５を「【請求項５】請求項１乃至請求項４のいずれかに記載の吊り足場組立て工法において、パネル状の足場材（１）の吊り下げ作業、連結作業を先に吊り下げた足場材（１）の上で行ない、このパネル状の足場材（１）の吊り下げと連結を繰返して吊り足場を組立てるようにしたことを特徴とする吊り足場組立て工法。」と訂正する。
〔６〕訂正事項Ｆ：特許請求の範囲の減縮を目的として、特許明細書の特許請求の範囲の請求項７を請求項６と訂正する。
〔７〕訂正事項Ｇ：特許請求の範囲の減縮を目的として、特許明細書の特許請求の範囲の請求項８を請求項７と訂正し、同請求項７を「【請求項７】請求項６記載の吊り足場材において、踏み板（２）に足場材（１）を索条（Ｂ）で吊り下げるための貫通孔を設けたことを特徴とする吊り足場材。」と訂正する。
〔８〕訂正事項Ｈ：特許請求の範囲の減縮を目的として、特許明細書の特許請求の範囲の請求項９を請求項８と訂正し、同請求項８を「【請求項８】請求項６又は請求項７記載の吊り足場材において、配列方向連結具（４）を基材（１ａ）から突設し、基材（１ａ）のうち配列方向連結具（４）と反対側に前記配列方向連結具（４）を差し込み可能な配列方向連結受部（２１）を設けたことを特徴とする吊り足場材。」と訂正する。
〔９〕訂正事項Ｉ：特許請求の範囲の減縮を目的として、特許明細書の特許請求の範囲の請求項１０を請求項９と訂正し、同請求項９を「【請求項９】請求項８記載の吊り足場材において、配列方向連結受部（２１）が、基材（１ａ）内に形成された差し込み孔であることを特徴とする吊り足場材。」と訂正する。
〔１０〕訂正事項Ｊ：特許請求の範囲の減縮を目的として、特許明細書の特許請求の範囲の請求項１１を請求項１０と訂正し、同請求項１０を「【請求項１０】請求項６乃至請求項９のいずれかに記載の吊り足場材において、基材（１ａ）が方形の枠状であることを特徴とする吊り足場材。」と訂正する。
〔１１〕訂正事項Ｋ：特許請求の範囲の減縮を目的として、特許明細書の特許請求の範囲の請求項１２を請求項１１と訂正し、同請求項１１を「【請求項１１】請求項８乃至請求項１０のいずれかに記載の吊り足場材において、配列方向連結受部（２１）とそれに差し込まれた配列方向連結具（４）とに貫通部材（１５）を差し込み可能な穴（１３、１４）を設けたことを特徴とする吊り足場材。」と訂正する。
〔１２〕訂正事項Ｌ：特許請求の範囲の減縮を目的として、特許明細書の特許請求の範囲の請求項１３を請求項１２と訂正し、同請求項１２を「【請求項１２】請求項１１記載の吊り足場材において、配列方向連結具（４）に形成された穴（１３）が当該配列方向連結具（４）の突出方向に横長であることを特徴とする吊り足場材。」と訂正する。
〔１３〕訂正事項Ｍ：明りょうでない記載の釈明を目的として、特許明細書の段落【０００６】を削除する。
〔１４〕訂正事項Ｎ：明りょうでない記載の釈明を目的として、特許明細書の段落【０００７】を段落【０００６】と訂正し、同段落【０００６】を「【０００６】本発明の第２の吊り足場組立て工法は、第１の吊り足場組立て工法において、配列方向連結具が足場材から外側に突設され、その配列方向連結具を他方の足場材の配列方向連結受部に差し込んで両足場材を連結し、この足場材の吊り下げ及び連結を繰返して吊り足場を組立てる工法である。」と訂正する。
〔１５〕訂正事項Ｏ：明りょうでない記載の釈明を目的として、特許明細書の段落【０００８】を段落【０００７】と訂正し、同段落【０００７】を「【０００７】本発明の第３の吊り足場組立て工法は、第２の吊り足場組立て工法において、配列方向連結受部とそれに差し込まれた配列方向連結臭とに貫通部材を差し込んで両者を連結する工法である。」と訂正する。
〔１６〕訂正事項Ｐ：明りょうでない記載の釈明を目的として、特許明細書の段落【０００９】を段落【０００８】と訂正し、同段落【０００８】を「【０００８】本発明の第４の吊り足場組立て工法は、第１乃至第３の夫々の吊り足場組立て工法において、支持材と交差する向きに吊り下げたパネル状の足場材の横に、それと同じ向きにして他のパネル状の足場材を吊り下げ、横に隣接する両足場材の横連結受部に横連結具を係止して足場材を横方向にも連結するようにしたことを特徴とする吊り足場組立てる工法である。」と訂正する。
〔１７〕訂正事項Ｑ：明りょうでない記載の釈明を目的として、特許明細書の段落【００１０】を段落【０００９】と訂正し、同段落【０００９】を「【０００９】本発明の第５の吊り足場組立て工法は、第１乃至第４の夫々の吊り足場組立て工法において、足場材の吊り下げ作業と連結作業を先に吊り下げた足場材の上で行ない、この足場材の吊り下げと連結を繰返して吊り足場を組立てる工法である。」と訂正する。
〔１８〕訂正事項Ｒ：明りょうでない記載の釈明を目的として、特許明細書の段落【００１１】を段落【００１０】と訂正し、同段落【００１０】を「【００１０】本発明の第６の吊り足場材は、基材に作業者がのれる広さの網や板等の踏み材を取り付けてパネル状にし、同基材の２箇所以上に支持材から吊り下げるチェーン、ワイヤ等の索条を係止して基材を支持具にそれと交差する向きに吊り下げ可能な係止部を設け、基材に、支持材と交差する向きに吊り下げて並べた足場材同士を連結する配列方向連結具を設け、基材のうち配列方向連結具と反対側に前記配列方向連結具を連結可能な配列方向連結受部を設けたものである。」と訂正する。
〔１９〕訂正事項Ｓ：明りょうでない記載の釈明を目的として、特許明細書の段落【００１２】を段落【００１１】と訂正し、同段落【００１１】を「【００１１】本発明の第７の吊り足場材は、第６記載の吊り足場材の踏み板（２）に足場材（１）を索条（Ｂ）で吊り下げるための貫通孔を設けたものである。」と訂正する。
〔２０〕訂正事項Ｔ：明りょうでない記載の釈明を目的として、特許明細書の段落【００１３】を段落【００１２】と訂正し、同段落【００１２】を「【００１２】本発明の第８の吊り足場材は、第６又は第７の吊り足場材の配列方向連結具を基材から突設し、基材のうち配列方向連結具と反対側に前記配列方向連結具を差し込み可能な配列方向連結受部を設けたものである。」と訂正する。
〔２１〕訂正事項Ｕ：明りょうでない記載の釈明を目的として、特許明細書の段落【００１４】を段落【００１３】と訂正し、同段落【００１３】を「【００１３】本発明の第９の吊り足場材は、第８の吊り足場材において、配列方向連結受部を、基材内に形成された差し込み孔としたものである。」と訂正する。
〔２２〕訂正事項Ｖ：明りょうでない記載の釈明を目的として、特許明細書の段落【００１５】を段落【００１４】と訂正し、同段落【００１４】を「【００１４】本発明の第１０の吊り足場材は、第６乃至第９の吊り足場材において、基材を方形の枠状としたものである。」と訂正する。
〔２３〕訂正事項Ｗ：明りょうでない記載の釈明を目的として、特許明細書の段落【００１６】を段落【００１５】と訂正し、同段落【００１５】を「【００１５】本発明の第１１の吊り足場材は、第８乃至第１０の吊り足場材において、配列方向連結受部とそれに差し込まれた配列方向連結具とに貫通部材を差し込み可能な穴を設けたものである。」と訂正する。
〔２４〕訂正事項Ｘ：明りょうでない記載の釈明を目的として、特許明細書の段落【００１７】を段落【００１６】と訂正し、同段落【００１６】を「【００１６】本発明の第１２の吊り足場材は、第１１の吊り足場材において、配列方向連結具に形成された穴を当該配列方向連結具の突出方向に横長としたものである。」と訂正する。
〔２５〕訂正事項Ｙ：明りょうでない記載の釈明を目的として、特許明細書の段落【００１８】を段落【００１７】と訂正し、以下同様に、段落【００１９】〜【００２９】を段落【００１８】〜【００２８】とそれぞれ訂正する。
〔２６〕訂正事項Ｚ：明りょうでない記載の釈明を目的として、特許明細書の段落【００３０】を段落【００２９】と訂正し、同段落【００２９】を「【００２９】【発明の効果】本発明の第１の吊り足場組立て工法は次のような効果がある。…（中略）…容易になる。」と訂正する。
〔２７〕訂正事項ａ：明りょうでない記載の釈明を目的として、特許明細書の段落【００３１】を段落【００３０】と訂正し、同段落【００３０】を「【００３０】本発明の第２の吊り足場組立て工法は、足場材から外側に突設された配列方向連結具を他方の足場材の配列方向連結受部に差し込んで両足場材を連結するので、足場材の連結が容易且つ確実になる。」と訂正する。
〔２８〕訂正事項ｂ：明りょうでない記載の釈明を目的として、特許明細書の段落【００３２】を段落【００３１】と訂正し、同段落【００３１】を「【００３１】本発明の第３の吊り足場組立て工法は、配列方向連結受部とそれに差し込まれた配列方向連結具とに貫通部材を差し込んで両者を連結するので、連結が確実になる。」と訂正する。
〔２９〕訂正事項ｃ：明りょうでない記載の釈明を目的として、特許明細書の段落【００３３】を段落【００３２】と訂正し、同段落【００３２】を「【００３２】本発明の第４の吊り足場組立て工法は、横に隣接する両足場材の横連結受部に横連結具を係止して足場材を横方向にも連結するので、吊り足場を配列方向だけでなく、横方向にも容易に組立てることができる。」と訂正する。
〔３０〕訂正事項ｄ：明りょうでない記載の釈明を目的として、特許明細書の段落【００３４】を段落【００３３】と訂正し、同段落【００３３】を「【００３３】本発明の第５の吊り足場組立て工法は、足場材の吊り下げ作業と連結作業を先に吊り下げた足場材の上で行なうので安全で、作業し易く、作業性も向上する。」と訂正する。
〔３１〕訂正事項ｅ：明りょうでない記載の釈明を目的として、特許明細書の段落【００３５】を段落【００３４】と訂正し、同段落【００３４】を「【００３４】本発明の第６の吊り足場材はパネル状であるため、その上に作業者がのって次の吊り足場材を吊り下げたり、後から吊り下げた吊り足場材を先に吊り下げた吊り足場材に連結したりすることができ、しかも、…（中略）…踏み材が基材に固定されているので、従来のように足場板を横材に番線で固定する必要がなく、足場の組立て作業が容易になる。」と訂正する。
〔３２〕訂正事項ｆ：明りょうでない記載の釈明を目的として、特許明細書の段落【００３６】を段落【００３５】と訂正し、同段落【００３５】を「【００３５】本発明の第７の吊り足場材は、基材に横連結具を係止可能な横連結受部を設けたので、横方向への連結も容易になり、吊り足場の横幅の調節も容易になる。」と訂正する。
〔３３〕訂正事項ｇ：明りょうでない記載の釈明を目的として、特許明細書の段落【００３７】を段落【００３６】と訂正し、同段落【００３６】を「【００３６】本発明の第８の吊り足場材は、配列方向連結具を基材から突設したので、それを配列方向連結受部に差し込むだけで足場材の横方向への連結が可能になる、連結が容易にもなる。」と訂正する。
〔３４〕訂正事項ｈ：明りょうでない記載の釈明を目的として、特許明細書の段落【００３８】を段落【００３７】と訂正し、同段落【００３７】を「【００３７】本発明の第９の吊り足場材は、配列方向連結受部が基材内に形成された差し込み孔であるため、配列方向連結受部の形成が容易になる。」と訂正する。
〔３５〕訂正事項ｉ：明りょうでない記載の釈明を目的として、特許明細書の段落【００３９】を段落【００３８】と訂正し、同段落【００３８】を「【００３８】本発明の第１０の吊り足場材は、基材１ａが方形の枠状であるため、形状が安定する。」と訂正する。
〔３６〕訂正事項ｊ：明りょうでない記載の釈明を目的として、特許明細書の段落【００４０】を段落【００３９】と訂正する。
（５４）【発明の名称】
吊り足場組立て工法と吊り足場材
（５７）【特許請求の範囲】
　【請求項１】
　ワイヤ、チェーン等の索条（Ｂ）を支持材（Ａ）から吊り下げ、その吊り下げた索条（Ｂ）に、基材（１ａ）に作業者がのれる広さの踏み材（２）を取り付けたパネル状の足場材（１）を係止して、同足場材（１）を支持材（Ａ）にそれと交差する向きに吊り下げ、この足場材（１）の先方或は後方に他の足場材（１）を前記足場材（１）と同様の向きに吊り下げ、両足場材（１）のうち一方の足場材（１）の配列方向連結具（４）と他方の足場材（１）の配列方向連結受部（２１）とを連結して両足場材（１）を並べて連結し、この足場材（１）の吊り下げ及び連結を繰返して吊り足場を組立てるようにしたことを特徴とする吊り足場組立て工法。
　【請求項
２
　請求項
１記
　【請求項
３
　請求項
２
　【請求項
４
　請求項１乃至請求項
３
　【請求項
５
　請求項１乃至請求項
４のいずれかに
の吊
　【請求項
６
　基材（１ａ）に作業者がのれる広さの網や板等の踏み材（２）を取り付けてパネル状にし、同基材（１ａ）の２箇所以上に支持材Ａから吊り下げるチェーン、ワイヤ等の索条（Ｂ）を係止して基材（１ａ）を支持具（Ａ）にそれと交差する向きに吊り下げ可能な係止部（３）を設け、基材（１ａ）に、支持材（Ａ）と交差する向きに吊り下げて並べた足場材（１）同士を連結する配列方向連結具（４）を設け、基材（１ａ）のうち配列方向連結具（４）と反対側に前記配列方向連結具（４）を連結可能な配列方向連結受部（２１）を設けたことを特徴とする吊り足場材。
　【請求項
７
　請求項
６
　【請求項
８
　請求項
６
７
　【請求項
９
　請求項
８
　【請求項
１０
　請求項
６
９
　【請求項１
１
　請求項
８
０
　【請求項１
２
　請求項１
１
【発明の詳細な説明】
　【０００１】
　【発明の属する技術分野】
　本発明は高速道路、橋梁、プラントの輸送管を配管するためのラック、建物等の建設工事或はそれらの改修工事等を行う場合に、桁材や高欄等の支持具から下方に足場材を吊り下げて吊り足場を作るのに使用される吊り足場組立て工法と足場材に関するものである。
　【０００２】
　【従来の技術】
　高速道路や橋梁等の工事を始めとする各種の建設、土木工事では、吊り足場を作り、その上で建設作業や改修工事等を行なうことが多い。この吊り足場は従来は例えば以下のようにして組立てられていた。
　ａ．第９図のように、作業者Ｍがのったクレ−ン等Ｃを移動させながら、二本の桁材等の支持材Ａにチェ−ン吊下用クランプＤを所定間隔で取付け、夫々のクランプＤにチェ−ンＢを吊り下げる。
　ｂ．第１０図のように吊り下げられているチェ−ンＢに親パイプと呼ばれる縦材Ｅを通し、その上に熟練した鳶職人等の作業者Ｍがのって隣り合う縦材Ｅ同士を連接させる（これを通常は親パイプを流すという）。
　ｃ．第１１図のように吊り下げられている縦材Ｅの間に、ころがしパイプと呼ばれる横材Ｆを渡してそれらを直交クランプ等の固定具Ｇにより固定する。
　ｄ．同横材Ｆの中央部に腹起こしパイプと称される補助材Ｈを載せ、これと横材Ｆとを直交クランプ等の固定具Ｇで固定する。
　ｅ．第１２図のように前記横材Ｆの上に足場板Ｊを載せて同横材Ｆに番線Ｋにより固定する。
　ｆ．前記足場板Ｊに作業者Ｍがのって、それより先の縦材Ｅ間に別の横材Ｆを渡して固定し、その横材Ｆに足場板Ｊを載せて固定する。この作業を繰返して所望とする範囲に吊り足場を組立ててゆく。
　ｇ．第１３図のように前記縦材Ｅに手摺Ｌを取付けたり、必要に応じて、吊り足場の下に落下防止用ネットＮを張ったり、吊り足場の上に養生シ−トを被せたりする。
　【０００３】
　【発明が解決しようとする課題】
　従来の吊り足場組立て工法は以下のような問題があった。
　ａ．第１０図のように先に吊り下げられている縦材Ｅにのって次の縦材Ｅをチェ−ンＢの間に流さなければならないので、その作業は熟練者でなければ難しく、しかも手間と時間がかかる。また如何に熟練した鳶職人といえども落下する危険性が高く、作業の安全面に多くの問題があった。
　ｂ．第１１図のように縦材Ｅに横材Ｆを渡して固定したり、第１２図のように足場板Ｊを固定したり、第１３図のように落下防止用ネットＮを張ったりしなければならないので、それらの作業が面倒であり、完成までに多くの手間と時間がかかり、その分だけコスト高になり、しかもこの吊り足場を仮設するために工期全体が長びく。
　ｃ．第９図のようにクレ−ンＣを移動させなければならないので、非常に面倒であり、手間もかかる。しかも例えば高速道路の橋梁工事ではクレ−ンＣを移動するために橋梁の下の道路を封鎖する必要があるので、通行の邪魔になり、交通渋滞の原因ともなる。しかも橋梁の下が川や池等の場合はクレ−ンを使用できないことがあり、その場合は全て人手作業になるので作業性が著しく低下し、しかも危険性も高まる。
　また、従来は吊り足場の組み立てに必要な単管、足場板Ｊ、番線、落下防止用ネットＮ等の各種部材が個別に独立してばらばらになっているので、現場での組立作業が面倒であるとか、組立中に部品が落下して危険であるとか、各部品の管理や、取扱い、運搬等が面倒で煩雑であるといった各種難点があった。
　【０００４】
　【課題を解決するための手段】
　本発明の目的は、作業の安全性が高く、作業性がよく、短期間に且つ未熟者でも手軽に吊り足場を組み立てることができるようにした吊り足場組立て工法と、足場材として必要な各種部材がまとめられて一枚に形成されて吊り足場を組み立て易く、管理、取扱も容易で、吊り足場を組み立て中に部品が落下する危険もない足場材を提供することにある。
　【０００５】
　前記目的を達成するため、本発明の第１の吊り足場組立て工法は、ワイヤ、チェーン等の索条を支持材から吊り下げ、その吊り下げた索条に作業者がのれる広さの踏み材が取り付けられたパネル状の足場材を係止して、同足場材を支持材にそれと交差する向きに吊り下げ、この足場材の先方或は後方に他の足場材を前記足場材と同様の向きに吊り下げ、両足場材のうち一方の足場材の配列方向連結具と他方の足場材の配列方向連結受部とを連結して両足場材を並べて連結し、この足場材の吊り下げ及び連結を繰返して吊り足場を組立てる工法である。
　【
０００６
　本発明の第
２
１の
　【
０００７
　本発明の第
３
２
　【
０００８
　本発明の第
４
３
　【
０００９
　本発明の第
５
４
　【
００１０
　本発明の第
６
　【
００１１
　本発明の第
７
６
　【
００１２
　本発明の第
８
６
７
　【
００１３
　本発明の第
９
８
　【
００１４
　本発明の第１
０
６
９
　【
００１５
　本発明の第１
１
８乃至
　【
００１６
　本発明の第１
２
１
　【
００１７
　【発明の実施形態】
　第１図〜第５図は本発明の吊り足場組立て工法の一実施例であり、第６図〜第８図は同工法に使用される足場材１の一例である。この足場材１は基材１ａに踏み材２を取り付けてパネル状にしてある。基材１ａは２本の金属製の角パイプ１０が対向して配置され、その両端部に金属製の短い丸パイプ１１を貫通させて両角パイプ１０を連結して、作業者がのれる広さの細長角型に形成されている。また前記角パイプ１０間は適宜間隔毎にアルミニウム製の軽量連結鋼材１２により支持固定されている。
　【
００１８
　第１図〜第８図に示す３は係止部であり、これは橋梁の桁材等の支持材Ａから吊り下げられたチェ−ン、ワイヤー等の索条Ｂを係止するためのものであり、前記基材１ａの長手方向両端部に設けられている。この実施例では係止部３として単管パイプを使用し、それを基材１ａの長手方向両側の丸パイプ１１とそれより内側に設けられた軽量連結鋼材１２との間に渡してなる。この係止部３に桁材等の支持材Ａから吊り下げられている索条Ｂを掛けることにより、前記基材１を支持材Ａにそれと交差する向きに吊り下げることができる。
　【
００１９
　第１図〜第８図の２は踏み材である。この実施例の踏み材２にはエキスパンドメタルが使用されている。この場合、踏み材２は基材１ａの幅方には全幅に亙って配置固定されているが、長さは基材１ａの長手方向の寸法よりも短くして、踏み材２の長手方向両端部と基材１ａと間に、隣り合う基材１ａ同士を横方向に連結する横連結具５を差込んでセット可能な空間部２２を形成してある。また、踏み材２の長さを基材１ａよりも短くすることにより、軽量で、しかも足場面積の十分に広い吊り足場を得ることができる。この場合、踏み材２を基材１ａの幅方向だけでなく長手方向の全面をも覆うように取付けておけば、足場面積の十分に広い吊り足場を得ることができ、吊り足場上の物品が落下することもない。また、従来の第１３図の様にように落下防止用ネットＮを張る必要がなく、その分だけ足場組立て作業が容易になり、施工に要する時間を短縮でき、コストを低減することができる。
　【
００２０
　踏み材２は網状のエキスパンドメタル以外のものであってもよく、例えば板材とか樹脂製板等の平板状のものを使用してもよい。踏み材２は基材１ａの長手方向両端部までの全面に取付けてもよい。踏み材２が網状のものの場合はその網の目に索条Ｂを通して前記係止部３に係止するのがよく、踏み材２が平板状のものでしかも全面に取付けられた場合は、係止部３の近くに貫通穴を開けて空間部２２を形成し、その空間部２２に索条Ｂを通して係止部３に係止するのがよい。いずれの場合も、基材１と踏み材２との間には横連結具５を差込んでセット可能な空間部２２を形成してある。
　【
００２１
　第３図、第６図、第７図に示す４は配列方向連結目、２１は配列方向連結受部であり、これらは支持材Ａに吊り下げられて配列方向（支持材Ａの長手方向）に隣接する２つの基材１ａ同士をその配列方向（前後方向）に連結するためのものである。
　【
００２２
　この実施例の配列方向連結具４には第６図、第７図に明示するようにＢ型ジョイントが使用され、その一端が基材１ａの二本の丸パイプ１１の夫々に差込まれて取付けられ、他端が基材１の側面から外側に突設されている。
　【
００２３
　前記の配列方向連結受部２１には基材１の長手方向両端に取付けられた丸パイプ１１の通孔のうち、配列方向連結具４が取付けられた端部と反対側の端部を利用し、その端部を配列方向連結受部２１としてある。
　【
００２４
　そして、配列方向連結具４の他端側を他方の基材１ａの丸パイプ１１の通孔（配列方向連結受部２１）内に差込み、この配列方向連結具４に形成されている貫通穴１３と丸パイプ１１に形成されている係止穴１４とを位置合わせし、同丸パイプ１１の外側からそれらの穴１３、１４にグラビティ−ロック等の貫通部材１５を貫通させると、同配列方向連結具４が丸パイプ１１から抜けなくなるようにしてあり、これにより前記足場材１が配列方向に連結されるようにしてある。
　【
００２５
　第５図、第８図に示す５は横連結具であり、これは第３図に示す様に基材１ａ同士をその長手方向（配列方向に対して横方向）に連結するためのものである。この連結具５には第８図に示すように通常の固定クランプが使用されている。
　【
００２６
　この横連結具５は基材１ａと踏み材２の長手方向両端部間に形成された空間部２２に差込んでセットすると共に、基材１ａの長手方向（横方向）に並べられた２つの足場材１の丸パイプ１１（この実施例では丸パイプ１１を横連結受部２３としてある）に下方から係止固定して両横連結受部２３同士を連結し、これにより基材１ａ同士を横方向に連結できるようにしてある。
　【
００２７
　横連結具５は連結する２つの基材１ａのいずれか一方の横連結受部２３に予め取付けておいてもよく、それとは別にしておいて、現場で取付けるようにしてもよい。横連結具５の構造やその連結機構は前記以外のものであってもよい。
　【
００２８
　次に、本発明の吊り足場組立て工法の実施例を説明する。
　▲１▼．第１図のように二本の桁材等の支持材Ａの対向位置にチェ−ン吊下用クランプＤを取付けてそれに索条Ｂを吊り下げる。
　▲２▼．その索条Ｂを足場材１の長手方向両端部に設けられている係止部３の夫々に掛けて、その足場材１を支持材Ａ間に支持材Ａに対して交差する向きにして水平に吊り下げる。
　▲３▼．この足場材１の上面に取付けられている踏み材２に第２図のように作業者Ｍがのって支持材Ａの先方に別のクランプＤを取付け、それに索条Ｂを吊り下げる。
　▲４▼．この索条Ｂを第３図のように他の足場材１の長手方向両端部に設けられている係止部３の夫々に掛けて、その足場材１を先に吊り下げた足場材１の先方にそれと同じ向きに吊り下げて並べる。
　▲５▼．後から吊り下げた足場材１に取付けられている配列方向連結具４と先に吊り下げた足場材１の丸パイプ１１の通孔（配列方向連結受部２１）とを第６図、第７図のように連結して二つの吊り足場材をその配列方向（前後方向）に連結する。以下、第２図、第３図、第６図、第７図の作業を繰返して第４図のように多数の足場材１をその配列方向に連結して吊り足場を組立てる。
　この場合、各足場材１には踏み材２が取付けられているので、第１２図に示す従来例のように別の足場板Ｊを横材Ｆに番線Ｋで固定する必要がなく、また第１３図に示す従来例のように落下防止用ネットＮを別に取付ける必要もない。
　▲６▼．前記のようにして組立てられた吊り足場の幅が狭い場合には、第５図のように隣の支持材ＡにクランプＤを取付けてそれに索条Ｂを吊り下げ、その索条Ｂを別の足場材１の係止部３に掛け、同足場材１を先に吊り下げられている足場材１の長手方向横に吊り下げる。この足場材１と先に組立てられている足場材１の丸パイプ１１（横連結受部２３）に横連結具（例えばクランプ）５を係止固定して両足場材１を連結し、吊り足場を横方向に所望幅に広げる。
　▲７▼．第５図のように組立てられた吊り足場には必要に応じて手摺を取付けたり、養生シ−トを被せたりする。
　【
００２９
　【発明の効果】
　本発明の第
１の
　▲１▼．人がのれる広さのパネル状の足場材を配列方向に吊り下げて連結固定して吊り足場を作るため、その上に作業者がのって順次別の足場材を吊り下げて連結固定することができ、従来のように細く不安定な縦材（単管）や横材（単管）の上に作業者がのる必要がなく、作業者が落下する危険性も少なく、作業の安全性が著しく向上する。また、従来のようにクレ−ン等を使用しなくとも足場組立て作業ができ、高速道路の橋梁工事等でその下の道路を閉鎖する必要もなく、交通の妨げになることもない。また、クレ−ンを使用できない箇所ででも、安全に且つ短期間に吊り足場を作ることができる。
　▲２▼．足場材が基材に踏み材を固定してパネル状にしてあるので、先に吊り下げた足場材の上に作業者がのり易く、しかも安定性があり、足場材の吊り下げ、足場材の連結等の作業が非常にし易くなり、吊り足場の組み立て作業が安全になる。また、従来のように現場で組立てた単管の上にそれとは別体の足場板をのせ、その足場板を横材に番線で固定する必要もなく、足場組立て作業が容易になる。
　▲３▼．足場材の基材に踏み材、配列方向連結具、配列方向連結受部が取り付けられているので、その足場材を現場で索条で吊り下げるだけで、他の部材を必要とせずに吊り足場を組立てることができ、しかも熟練も要せず、誰でも手軽に吊り足場を組立てることができる。
　▲４▼．基材に踏み材、配列方向連結具４、配列方向連結受部が取り付けられているパネル状の足場材を吊り下げるので、吊り下げられて隣接する足場材のうち一方の足場材の配列方向連結具と他方の足場材の配列方向連結受部を連結するだけで隣接する足場材同士をその配列方向（前後方向）に手軽に連結することができ、施工に要する時間を大幅に短縮でき、ひいては吊り足場組立てに要するコストが大幅に低減する。
　▲５▼．足場材が支持材にそれと交差する向きに吊り下げられるので、多数の足場材を離れた２つの支持材間に吊り下げて連結することにより、離れた２つの支持材間に吊り足場を組立てることができる。
　▲６▼．足場材を吊り下げるのがチェーン、ワイヤ等の索条であるため、索条の長さを調節して吊り下げる足場材の高さを調節することができ、また、索条は３６０度いずれの方向にも首振りできるので足場材に係止し易くもなり、足場材を支持材と交差する向きに吊り下げることも容易になる。
　【
００３０
　本発明の第
２
　【
００３１
　本発明の第
３
　【
００３２
　本発明の第
４
　【
００３３
　本発明の第
５
　【
００３４
　本発明の第
６
　【
００３５
　本発明の第
７
　【
００３６
　本発明の第
８
　【
００３７
　本発明の第
９
　【
００３８
　本発明の第１
０
　【
００３９
　本発明の第１１、１２の吊り足場材は、配列方向連結受部とそれに差し込まれた配列方向連結具とに穴を設けたので、両穴に貫通部材を差し込むだけで、両者を容易且つ確実に連結できる。
【図面の簡単な説明】
　【図１】
　本発明の吊り足場組立て工法における第１工程の一例を示す説明図。
　【図２】
　本発明の吊り足場組立て工法における第２工程の一例を示す説明図。
　【図３】
　本発明の吊り足場組立て工法における第３工程の一例を示す説明図。
　【図４】
　本発明の吊り足場組立て工法における第４工程の一例を示す説明図。
　【図５】
　本発明の吊り足場組立て工法による吊り足場の組立て途中の斜視図。
　【図６】
　本発明の吊り足場材の一例を示す斜視図。
　【図７】
　本発明の吊り足場材の他例を示す斜視図。
　【図８】
　本発明の吊り足場材の横への連結構造の説明図。
　【図９】
　従来の吊り足場組立て工法の第１工程の説明図。
　【図１０】
　従来の吊り足場組立て工法の第２工程の説明図。
　【図１１】
　従来の吊り足場組立て工法の第３工程の説明図。
　【図１２】
　従来の吊り足場組立て工法の第４工程の説明図。
　【図１３】
　従来の吊り足場組立て工法の第５工程の説明図。
　【符号の説明】
　１は足場材
　１ａは基材
　２は踏み材
　３は係止部
　４は配列方向連結具
　５は横連結具
　１３は穴
　１５は貫通部材
　２１は配列方向連結受部
　２３は横連結受部
　Ａは支持材
　Ｂは索条